【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
電子機器に無線給電を行う給電手段と、
前記電子機器と通信を行う通信手段と、
前記電子機器から受信された前記電子機器に関する情報が前記電子機器によって更新されたか否かに応じて、異物を検出するための処理を行うか否かを制御する制御手段と
を有することを特徴とする給電装置。
【請求項２】
前記制御手段は、前記電子機器から受信された前記電子機器に関する情報が前記電子機器によって更新されたことが判定された場合、異物を検出するための処理を行うことを特徴とする請求項１に記載の給電装置。
【請求項３】
前記制御手段は、前記電子機器から受信された前記電子機器に関する情報が前記電子機器によって更新されていないことが判定された場合、異物を検出するための処理を行わないようにすることを特徴とする請求項１または２に記載の給電装置。
【請求項４】
前記制御手段は、前記電子機器から受信された前記電子機器に関する情報が前記電子機器によって更新されていないことが判定された場合、第１の電力を前記電子機器に供給するように前記給電手段を制御し、
前記制御手段は、前記電子機器から受信された前記電子機器に関する情報が前記電子機器によって更新されたことが判定された場合、異物が検出されないかったことに応じて、前記電子機器から受信された前記電子機器に関する情報に基づいて設定された第２の電力を前記電子機器に供給するように前記給電手段を制御することを特徴とする請求項１から３のいずれか１項に記載の給電装置。
【請求項５】
前記制御手段は、前記電子機器から受信された前記電子機器に関する情報が前記電子機器によって更新されていないことが判定された場合、異物が検出されたとしても、電子機器に前記第１の電力を供給するように前記給電手段を制御し、
前記制御手段は、前記電子機器から受信された前記電子機器に関する情報が前記電子機器によって更新されたことが判定された場合、前記電子機器に供給する前に異物が検出されたことに応じて、前記電子機器から受信された前記電子機器に関する情報に基づいて設定された前記第２の電力を前記電子機器に供給しないように前記給電手段を制御することを特徴とする請求項１から４のいずれか１項に記載の給電装置。
【請求項６】
前記第１の電力は、前記第２の電力よりも小さいことを特徴とする請求項４または５に記載の給電装置。
【請求項７】
前記制御手段は、前記電子機器から受信された前記電子機器に関する情報が前記電子機器によって更新されていないことが判定された場合、前記電子機器から受信された前記電子機器に関する情報が前記電子機器によって更新されたことが判定されるまで、前記第１の電力よりも大きい電力を前記電子機器に供給しないように前記給電手段を制御する請求項４または５に記載の給電装置。
【請求項８】
前記電子機器に電池の充電を行わせるために、前記給電手段から前記第１の電力及び前記第２の電力のいずれか一つが出力される場合、前記給電装置が前記電子機器に電力を供給していることを通知する通知手段を有することを特徴とする請求項４から６のいずれか１項に記載の給電装置。
【請求項９】
前記制御手段は、前記通信手段によって前記電子機器から受信された情報を用いて、前記電子機器から受信された前記電子機器に関する情報が前記電子機器によって更新されたか否かを判定することを特徴とする請求項１から８のいずれか１項に記載の給電装置。
【請求項１０】
前記電子機器に関する情報には、前記電子機器にエラーが発生しているか否かを示す情報、前記電子機器の電池に関する情報、前記電子機器の電池の充電に関する情報、前記電子機器が前記給電装置に給電を要求するか否かを示す情報及び前記電子機器が電力の増加または減少を要求するための情報の少なくとも一つが含まれることを特徴とする請求項１から８のいずれか１項に記載の給電装置。
【請求項１１】
電子機器に無線給電を行う給電ステップと、
前記電子機器と通信を行う通信ステップと、
前記電子機器から受信された前記電子機器に関する情報が前記電子機器によって更新されたか否かに応じて、異物を検出するための処理を行うか否かを制御する制御ステップと
を有することを特徴とする給電装置の制御方法。
【請求項１２】
前記制御ステップは、前記電子機器から受信された前記電子機器に関する情報が前記電子機器によって更新されたことが判定された場合、異物を検出するための処理を行うことを特徴とする請求項１１に記載の給電装置の制御方法。
【請求項１３】
前記制御ステップは、前記電子機器から受信された前記電子機器に関する情報が前記電子機器によって更新されていないことが判定された場合、異物を検出するための処理を行わないようにすることを特徴とする請求項１１または１２に記載の給電装置の制御方法。
【請求項１４】
前記制御ステップは、前記電子機器から受信された前記電子機器に関する情報が前記電子機器によって更新されていないことが判定された場合、第１の電力を前記電子機器に供給するように前記給電ステップにおける前記無線給電を制御し、
前記制御ステップは、前記電子機器から受信された前記電子機器に関する情報が前記電子機器によって更新されたことが判定された場合、異物が検出されないかったことに応じて、前記電子機器から受信された前記電子機器に関する情報に基づいて設定された第２の電力を前記電子機器に供給するように前記給電ステップにおける前記無線給電を制御することを特徴とする請求項１１から１３のいずれか１項に記載の給電装置の制御方法。
【請求項１５】
前記制御ステップは、前記電子機器から受信された前記電子機器に関する情報が前記電子機器によって更新されていないことが判定された場合、異物が検出されたとしても、電子機器に前記第１の電力を供給するように前記給電ステップにおける前記無線給電を制御し、
前記制御ステップは、前記電子機器から受信された前記電子機器に関する情報が前記電子機器によって更新されたことが判定された場合、前記電子機器に供給する前に異物が検出されたことに応じて、前記電子機器から受信された前記電子機器に関する情報に基づいて設定された前記第２の電力を前記電子機器に供給しないように前記給電ステップにおける前記無線給電を制御することを特徴とする請求項１１から１４のいずれか１項に記載の給電装置の制御方法。
【請求項１６】
前記第１の電力は、前記第２の電力よりも小さいことを特徴とする請求項１４または１５に記載の給電装置の制御方法。
【請求項１７】
前記制御ステップは、前記電子機器から受信された前記電子機器に関する情報が前記電子機器によって更新されていないことが判定された場合、前記電子機器から受信された前記電子機器に関する情報が前記電子機器によって更新されたことが判定されるまで、前記第１の電力よりも大きい電力を前記電子機器に供給しないように前記給電ステップにおける前記無線給電を制御する請求項１４または１５に記載の給電装置の制御方法。
【請求項１８】
前記電子機器に電池の充電を行わせるために、前記給電ステップにおいて前記第１の電力及び前記第２の電力のいずれか一つが出力される場合、前記給電装置が前記電子機器に電力を供給していることを通知する通知ステップを有することを特徴とする請求項１４から１６のいずれか１項に記載の給電装置の制御方法。
【請求項１９】
前記制御ステップは、前記通信ステップにおいて前記電子機器から受信された情報を用いて、前記電子機器から受信された前記電子機器に関する情報が前記電子機器によって更新されたか否かを判定することを特徴とする請求項１１から１８のいずれか１項に記載の給電装置の制御方法。
【請求項２０】
前記電子機器に関する情報には、前記電子機器にエラーが発生しているか否かを示す情報、前記電子機器の電池に関する情報、前記電子機器の電池の充電に関する情報、前記電子機器が前記給電装置に給電を要求するか否かを示す情報及び前記電子機器が電力の増加または減少を要求するための情報の少なくとも一つが含まれることを特徴とする請求項１１から１８のいずれか１項に記載の給電装置の制御方法。